(57)【要約】【課題】  ブリスターカードディスプレイパッケージを提供すること。【解決手段】  一態様では、本発明は、ブリスターカードディスプレイパッケージであって、前方外面及び前方内面を有する前方シートと後方外面及び後方内面を有する後方シートとを含むカードであって、当該後方内面の少なくとも一部が当該前方内面に貼着されている、カードと、当該前方内面と当該後方内面との間に取り付けられ、陳列される物品を収容するための複数のブリスター部分及び当該ブリスター部分を覆っている破断可能なフィルムシートを含む一体型ブリスターパックと、を含み、当該後方シートが、当該ブリスター部分を当該カードの当該後方外面を通して突出させる１つ以上の開口部を含み、当該前方シートが、当該ブリスター部分を覆っている当該破断可能なフィルムシートの一部へのアクセスを可能にする操作可能なフラップを含む、ブリスターカードディスプレイパッケージを特徴とする。【選択図】  図１
2019073338.tif 000002
【特許請求の範囲】
【請求項１】
ブリスターカードディスプレイパッケージであって、
前方外面及び前方内面を有する前方シートと後方外面及び後方内面を有する後方シートとを含むカードであって、前記後方内面の少なくとも一部が前記前方内面に貼着されている、カードと、
前記前方内面と前記後方内面との間に取り付けられ、陳列される物品を収容するための複数のブリスター部分及び前記複数のブリスター部分を覆っている破断可能なフィルムシートを含む一体型ブリスターパックと、
を含み、前記後方シートが、前記複数のブリスター部分を前記カードの前記後方外面を通して突出させる１つ以上の開口部を含み、前記前方シートが、前記複数のブリスター部分を覆っている前記破断可能なフィルムシートの一部へのアクセスを可能にする操作可能なフラップを含む、ブリスターカードディスプレイパッケージ。
【請求項２】
前記カードが、前記前方シート及び前記後方シートを形成するように折り畳まれる一体型シートで構成されている、請求項１に記載のパッケージ。
【請求項３】
前記操作可能なフラップが、前記複数のブリスター部分を覆っている前記破断可能なフィルムシートの一部の上方で前記操作可能なフラップを解放可能に維持するように機能するタブを含む、請求項１に記載のパッケージ。
【請求項４】
前記操作可能なフラップが、前記複数のブリスター部分を覆っている前記破断可能なフィルムシートの一部の上方で前記操作可能なフラップを解放可能に維持するように機能するタブを含む、請求項２に記載のパッケージ。
【請求項５】
前記ブリスターパックが、少なくとも４つのブリスター部分を含む、請求項１に記載のパッケージ。
【請求項６】
前記ブリスターパックが、少なくとも４つのブリスター部分を含む、請求項２に記載のパッケージ。
【請求項７】
前記ブリスターパックが、少なくとも４つのブリスター部分を含む、請求項３に記載のパッケージ。
【請求項８】
前記ブリスターパックが、少なくとも４つのブリスター部分を含む、請求項４に記載のパッケージ。
【請求項９】
前記操作可能なフラップの外面及び前記操作可能なフラップの内面の両方が文字を含む、請求項１に記載のパッケージ。
【請求項１０】
前記操作可能なフラップの外面及び前記操作可能なフラップの内面の両方が文字を含む、請求項２に記載のパッケージ。
【請求項１１】
前記操作可能なフラップの外面及び前記操作可能なフラップの内面の両方が文字を含む、請求項３に記載のパッケージ。
【請求項１２】
前記操作可能なフラップの外面及び前記操作可能なフラップの内面の両方が文字を含む、請求項５に記載のパッケージ。
【請求項１３】
前記複数のブリスター部分が透明なプラスチック材料で形成されている、請求項１に記載のパッケージ。
【請求項１４】
前記複数のブリスター部分が透明なプラスチック材料で形成されている、請求項３に記載のパッケージ。
【請求項１５】
前記複数のブリスター部分が透明なプラスチック材料で形成されている、請求項５に記載のパッケージ。
【請求項１６】
前記カードが、前記一体型ブリスターパッケージと接触していない前記カードの着脱可能な部分と、前記一体型ブリスターパッケージと接触している前記カードの部分と、の間にミシン目を含む、請求項１に記載のパッケージ。
【請求項１７】
前記カードが、前記一体型ブリスターパッケージと接触していない前記カードの着脱可能な部分と、前記一体型ブリスターパッケージと接触している前記カードの部分と、の間にミシン目を含む、請求項３に記載のパッケージ。
【請求項１８】
前記カードが、前記一体型ブリスターパッケージと接触していない前記カードの着脱可能な部分と、前記一体型ブリスターパッケージと接触している前記カードの部分と、の間にミシン目を含む、請求項５に記載のパッケージ。
【請求項１９】
前記カードが、支持装置から前記パッケージを吊るすための開口部を含む、請求項１に記載のパッケージ。
【請求項２０】
前記カードの前記着脱可能な部分が、支持装置から前記パッケージを吊るすための開口部を含む、請求項１６に記載のパッケージ。
【発明の詳細な説明】
【背景技術】
【０００１】
ブリスターカードディスプレイパッケージは、小さな物品を収容し陳列するために、小売販売において一般的に使用されている。このようなパッケージは、製品名及びその他の情報が印刷された板紙カードと、当該カード上に固定された物品を収容しているプラスチックブリスターパックと、を含むことが多い。更に、ペグボードディスプレイの延びたペグからパッケージを吊るすことができるように、カードの頂部に穴を設けることが多い。
【０００２】
ブリスターパッケージは多くの場合、それぞれが別個のブリスター部分内に収容されている、錠剤などの多数の小さな物品を収容するためにも使用される。例えば、米国特許第７，８６６，４７６号を参照されたい。しかし、このようなパッケージは、使用されていないときに未使用のブリスター部分を覆う破断可能なフィルム部分を保護するために相当量の板紙を必要とするので、その結果、パッケージは厚く、嵩高くなる。
【発明の概要】
【発明が解決しようとする課題】
【０００３】
本発明は、ブリスター部分を覆っている破断可能なフィルムシートへのアクセスを可能にする操作可能なフラップを含む、複数のブリスター部分を含む改良されたブリスターパッケージに関する。
【課題を解決するための手段】
【０００４】
一態様では、本発明は、ブリスターカードディスプレイパッケージであって、前方外面及び前方内面を有する前方シートと後方外面及び後方内面を有する後方シートとを含むカードであって、当該後方内面の少なくとも一部が当該前方内面に貼着されている、カードと、当該前方内面と当該後方内面との間に取り付けられ、陳列される物品を収容するための複数のブリスター部分及び当該複数のブリスター部分を覆っている破断可能なフィルムシートを含む一体型ブリスターパックと、を含み、当該後方シートが、当該複数のブリスター部分を当該カードの当該後方外面を通して突出させる１つ以上の開口部を含み、当該前方シートが、当該複数のブリスター部分を覆っている当該破断可能なフィルムシートの一部へのアクセスを可能にする操作可能なフラップを含む、ブリスターカードディスプレイパッケージを特徴とする。
【０００５】
本発明のその他の特徴及び利点は、「発明の詳細な説明」及び「特許請求の範囲」から明らかになるであろう。
【図面の簡単な説明】
【０００６】
【図１】カード５に一体型ブリスターパック４０を取り付ける前のカード５及び一体型ブリスターパック４０を示すブリスターカードディスプレイパッケージ１の分解図である。
【図２】後方シート２５を通して突出しているブリスター部分４５を示すブリスターカードディスプレイパッケージ１の斜視図である。
【図３】閉鎖位置の操作可能なフラップ６０を示すブリスターカードディスプレイパッケージ１の斜視図である。
【図４】開放位置の操作可能なフラップ６０を示すブリスターカードディスプレイパッケージ１の斜視図である。
【発明を実施するための形態】
【０００７】
当業者であれば、本明細書の記載に基づいて本発明を最大限利用できると考えられる。以下の具体的な実施形態は、あくまで例示的なものとして解釈されることができ、いかなる意味においても以下の開示を限定するものとして解釈してはならない。
【０００８】
特段の記載がない限り、本明細書で用いられる全ての科学技術用語は、本発明が属する技術分野における当業者が一般に解釈するのと同じ意味を有する。更に、本明細書において言及する刊行物、特許出願、特許、及びその他の引用文献はすべて参照により援用するものである。本明細書で使用するとき、すべての百分率は、特に規定しない限り、重量による。
【０００９】
上述のとおり、本発明は、ブリスターカードディスプレイパッケージを特徴とする。図１に示すように、ブリスターカードディスプレイパッケージ１は、カード５と、一体型ブリスターパック４０と、を含む。カード５は、板紙又は硬質若しくは半硬質のプラスチックシートなどの様々な材料で作製され得る。一実施形態では、カード５は、再生利用可能な材料で作製されることが望ましい。
【００１０】
カード５は、前方シート１０（前方外面１５及び前方内面２０の両方を有する）及び後方シート２５（後方外面３０及び後方内面３５を有する）の両方を有する。図１に示す一実施形態では、カード５は、前方シート１０及び後方シート２５を形成するように折り目６に沿って折り畳むことができる一体型シートで作製される。別の実施形態では（図示せず）、前方シート及び後方シートは、同一材料で作製されていてもよく作製されていなくてもよい別個のシートである。
【００１１】
図２に示すように、一体型ブリスターパック４０を取り付けるために、後方シート２５の後方内面３５の少なくとも一部を前方シート１０の前方内面２０に貼着する。一実施形態では、ヒートシール、接着剤シール（例えば、熱活性化接着剤又は糊などの溶剤型接着剤を用いる）、ＲＦ若しくは音波シール、又は任意のその他の好適な手段を使用することによって、後方シート２５を前方シート１０に貼着する。前方シート１０及び後方シート２５の材料は、このような材料を互いにシールするのを容易にするために前処理されてもよい。一実施形態では、後方シート２５は、縁部３１、３２、３３、及び３４のうちの１つ以上に隣接して前方シート１０に貼着される。
【００１２】
上述のとおり、ブリスターカードディスプレイパッケージ１は、一体型ブリスターパック４０を含む。一体型ブリスターパック４０は、ブリスターカードディスプレイパッケージ１によって陳列される物品を収容するための複数のブリスター部分４５を含む。一実施形態では、一体型ブリスターパック４０は、少なくとも４個のブリスター部分４５、例えば、少なくとも８個４個のブリスター部分（at least eight four blister portions）４５、例えば、少なくとも１０個のブリスター部分４５を含む。
【００１３】
一体型ブリスターパック４０及び／又はブリスター部分４５は、その中に収容される物品の形状、サイズ、及び脆弱性に基づいて様々な形状及びサイズにしてよい。また、ブリスターパック４０及び／又はブリスター部分４５は、その中に収容される物品を保持及び保護するのに好適な様々な材料で作製してよい。一実施形態では、ブリスター部分は、ブリスター部分４５を通して物品を見ることができるように透明なプラスチック材料で作製される。このようなプラスチック材料は、無色であっても有色であってもよい。一体型ブリスターパック４０は、熱成形及び射出成形の技術を含む、当該技術分野において公知の様々な手段によって製造され得る。一体型ブリスターパック４０は、硬質又は半硬質の材料で製造され得る。好適な材料としては、ポリプロピレン、ポリエチレン、ポリクロロトリフルオロエチレン、ポリエチレンテレフタレート、環状オレフィンコポリマー、エチレンビニルアルコール、高密度ポリエチレン、ポリ塩化ビニル、ポリ塩化ビニリデン、フッ素化塩素化樹脂、フルオロポリマー、並びにこれらの混合物及び積層物などのプラスチック材料が挙げられるが、これらに限定されない。一実施形態では、一体型ブリスターパック４０は、再生利用可能な材料で作製されることが望ましい。
【００１４】
一体型ブリスターパック４０は、複数のブリスター部分４５のそれぞれを覆っている破断可能なフィルムシート５０も含む。破断可能なフィルムシート５０は、ブリスター部４５内に物品を保持するが、このようなブリスター部分を覆っている破断可能なフィルムシート５０の一部（図４において領域５１内に描かれている部分）を破断することにより、ユーザがブリスター部分４５から当該物品を意図的に取り出すことを可能にする。破断可能なフィルムシート５０は、ヒートシール可能な層、アルミニウム箔、接着／付着層、プライマー、ポリエステル、紙、金属化フィルム、ポリエチレン、印刷用インク、ポリ塩化ビニル、ポリプロピレン、二軸延伸ポリプロピレン、エチレンビニルアルコール、及びこれらの組み合わせなどの特徴又は材料を含み得る。一実施形態では、破断可能なフィルムシート５０は、アルミニウム箔などの薄い金属箔及び紙の積層体である。積層体の箔側は、ブリスター部分４５に収容される物品に面し、紙側は、ユーザのための文字又は指示を加えるための追加の領域として機能する。破断可能なフィルムの一部を通してブリスター部分の上方に物品を押すことによって、ミシン目を入れたり予め切断したりしていてもしていなくてもよい当該フィルムのこのような部分を引き剥がすか若しくは破って当該物品を露出させることによって、又はその他の類似の手段によって、当該フィルムはユーザによって破断され得る。一実施形態では、破断可能なフィルムシート５０は、再生利用可能な材料で作製されることが望ましい。
【００１５】
一実施形態では、ヒートシール、接着剤シール（例えば、熱活性化接着剤又は糊などの溶剤型接着剤を用いる）、ＲＦ若しくは音波シール、又は任意のその他の好適な手段を使用することによって、破断可能なフィルムシート５０を一体型ブリスターパック４０に貼着する。破断可能なフィルムシート５０及び一体型ブリスターパック４０の材料は、このような材料を互いにシールするのを容易にするために前処理されてもよい。
【００１６】
図２に示すように、一体型ブリスターパック４０は、前方シート１０の前方内面２０と後方シート２５の後方内面３５との間に取り付けられる。図１に示すように、後方シート２５は、後方シート２５の後方外面１５を通して複数のブリスター部分４５を突出させるブリスター開口部５５を含む。一実施形態では、図２に示すように、各ブリスター部分ごとにブリスター開口部が存在する。このような配置は、前方シート１０と後方シート２５との間に取り付けられるブリスターパック４０を維持することも助ける。別の実施形態では（図示せず）、複数のブリスター部分が１つのブリスター開口部から突出する。
【００１７】
図３に示すように、前方シート１０は、複数のブリスター部分４５を覆っている破断可能なフィルムシート５０の一部へのアクセスを可能にする操作可能なフラップ６０を含む。図３は、複数のブリスター部分４５を覆っている破断可能なフィルムシート５０の一部を覆っている、閉鎖位置の操作可能なフラップ６０を示す。フラップ６０は、最初に、フラップのミシン目６１を破り、フラップの折り目６２に沿って操作可能なフラップ６０を折り畳むことによって開くことができる。図４は、複数のブリスター部分４５を覆っている破断可能なフィルムシート５０の一部（図４において領域５１内に描かれている部分）が露出している、開放位置の操作可能なフラップ６０を示す。破断可能なフィルムシート５０を露出させることにより、パッケージのユーザは、ブリスター部分４５を覆っている破断可能なフィルムシート５０の一部を破り、その中に収容されている物品を取り出すことができる。次いで、操作可能なフラップ６０を、まだ物品を収容しているブリスター部分４５の残りを覆っている破断可能なフィルムシート５０の一部を覆っている閉鎖位置に戻してよい。
【００１８】
また、操作可能なフラップ６０は、操作可能なフラップ６０が開放位置にあるとき、前方シート１０の前方内面２０の一部に視認性を提供する。一実施形態では、操作可能なフラップ６０の外面及び操作可能なフラップ６０の内面の両方に文字が含まれる。
【００１９】
一実施態様では、前方シート１０は、複数のブリスター部分４５の全てを覆っている破断可能なフィルムシート５０の一部へのアクセスを可能にする１つの操作可能なフラップ６０を含む。別の実施形態では（図示せず）、前方シート１０は、複数の操作可能なフラップ６０であって、それぞれが複数のブリスター部分４５の一部のみを覆っている破断可能なフィルムシート５０の一部のみへのアクセスを可能にする操作可能なフラップを含む。
【００２０】
一実施形態では、操作可能なフラップ６０は、複数のブリスター部分４５を覆っている破断可能なフィルムシート５０の一部の上方で操作可能なフラップ６０を解放可能に維持するように機能するタブ７０を含む。一実施形態では、操作可能なフラップ６０が閉鎖位置にあるとき、タブ７０は、後方シート２５の縁部４１及び４２と摩擦接触し、それによって、操作可能なフラップ６０を閉鎖位置に維持することができる。
【００２１】
一実施形態では、カード５は、一体型ブリスターパッケージと接触していないカードの着脱可能な部分と、一体型ブリスターパッケージと接触しているカードの部分と、の間にミシン目７５の１つ以上のセットを含む。このような実施形態によって、ユーザは、ブリスターカードディスプレイパッケージ１を購入したら、カード５の一部を除去し、それによって、当該ブリスターカードディスプレイパッケージのサイズを低減することができるようになる。
【００２２】
一実施形態では、一体型ブリスターパッケージは、ペグボードディスプレイの延びたペグなどの支持装置からブリスターカードディスプレイパッケージを吊るすための開口部８０を含む。一実施形態では、カードの着脱可能な部分は、支持装置から当該パッケージを吊るすための開口部を含む。
【００２３】
本発明はこの詳細な説明と関連して記載されてきたが、前述の説明は本発明の範囲を例示したものであって、発明の範囲を限定することを意図したものではなく、発明の範囲は添付の特許請求の範囲により定義されると理解される。その他の態様、利点及び変更は、特許請求の範囲内である。
【００２４】
〔実施の態様〕
（１）  ブリスターカードディスプレイパッケージであって、
前方外面及び前方内面を有する前方シートと後方外面及び後方内面を有する後方シートとを含むカードであって、前記後方内面の少なくとも一部が前記前方内面に貼着されている、カードと、
前記前方内面と前記後方内面との間に取り付けられ、陳列される物品を収容するための複数のブリスター部分及び前記複数のブリスター部分を覆っている破断可能なフィルムシートを含む一体型ブリスターパックと、
を含み、前記後方シートが、前記複数のブリスター部分を前記カードの前記後方外面を通して突出させる１つ以上の開口部を含み、前記前方シートが、前記複数のブリスター部分を覆っている前記破断可能なフィルムシートの一部へのアクセスを可能にする操作可能なフラップを含む、ブリスターカードディスプレイパッケージ。
（２）  前記カードが、前記前方シート及び前記後方シートを形成するように折り畳まれる一体型シートで構成されている、実施態様１に記載のパッケージ。
（３）  前記操作可能なフラップが、前記複数のブリスター部分を覆っている前記破断可能なフィルムシートの一部の上方で前記操作可能なフラップを解放可能に維持するように機能するタブを含む、実施態様１に記載のパッケージ。
（４）  前記操作可能なフラップが、前記複数のブリスター部分を覆っている前記破断可能なフィルムシートの一部の上方で前記操作可能なフラップを解放可能に維持するように機能するタブを含む、実施態様２に記載のパッケージ。
（５）  前記ブリスターパックが、少なくとも４つのブリスター部分を含む、実施態様１に記載のパッケージ。
【００２５】
（６）  前記ブリスターパックが、少なくとも４つのブリスター部分を含む、実施態様２に記載のパッケージ。
（７）  前記ブリスターパックが、少なくとも４つのブリスター部分を含む、実施態様３に記載のパッケージ。
（８）  前記ブリスターパックが、少なくとも４つのブリスター部分を含む、実施態様４に記載のパッケージ。
（９）  前記操作可能なフラップの外面及び前記操作可能なフラップの内面の両方が文字を含む、実施態様１に記載のパッケージ。
（１０）  前記操作可能なフラップの外面及び前記操作可能なフラップの内面の両方が文字を含む、実施態様２に記載のパッケージ。
【００２６】
（１１）  前記操作可能なフラップの外面及び前記操作可能なフラップの内面の両方が文字を含む、実施態様３に記載のパッケージ。
（１２）  前記操作可能なフラップの外面及び前記操作可能なフラップの内面の両方が文字を含む、実施態様５に記載のパッケージ。
（１３）  前記複数のブリスター部分が透明なプラスチック材料で形成されている、実施態様１に記載のパッケージ。
（１４）  前記複数のブリスター部分が透明なプラスチック材料で形成されている、実施態様３に記載のパッケージ。
（１５）  前記複数のブリスター部分が透明なプラスチック材料で形成されている、実施態様５に記載のパッケージ。
【００２７】
（１６）  前記カードが、前記一体型ブリスターパッケージと接触していない前記カードの着脱可能な部分と、前記一体型ブリスターパッケージと接触している前記カードの部分と、の間にミシン目を含む、実施態様１に記載のパッケージ。
（１７）  前記カードが、前記一体型ブリスターパッケージと接触していない前記カードの着脱可能な部分と、前記一体型ブリスターパッケージと接触している前記カードの部分と、の間にミシン目を含む、実施態様３に記載のパッケージ。
（１８）  前記カードが、前記一体型ブリスターパッケージと接触していない前記カードの着脱可能な部分と、前記一体型ブリスターパッケージと接触している前記カードの部分と、の間にミシン目を含む、実施態様５に記載のパッケージ。
（１９）  前記カードが、支持装置から前記パッケージを吊るすための開口部を含む、実施態様１に記載のパッケージ。
（２０）  前記カードの前記着脱可能な部分が、支持装置から前記パッケージを吊るすための開口部を含む、実施態様１６に記載のパッケージ。
【図１】
2019073338.tif 000003
【図２】
2019073338.tif 000004
【図３】
2019073338.tif 000005
【図４】
2019073338.tif 000006
【外国語明細書】
2019073338000001.pdf